(57)【特許請求の範囲】
【請求項１】
タイヤ周方向に連続して延びるタイヤ構成部材を備える空気入りタイヤであって、
前記タイヤ構成部材は、一つ以上のタイヤ用帯状部材よりなり、且つ、タイヤ用帯状部材のタイヤ周方向端部同士をタイヤ径方向に重ね合わせて接合する継ぎ目を少なくとも一つ有し、
前記継ぎ目のタイヤ周方向に沿う寸法が、タイヤ赤道面側で小さく、前記タイヤ構成部材の幅方向両端側で大きく、
前記継ぎ目のタイヤ周方向両端縁が、タイヤ周方向に対して一方向に傾斜し、
前記継ぎ目のタイヤ周方向一方の端縁は、タイヤ周方向に対して第１の傾斜角度で傾斜し、前記タイヤ構成部材の幅方向一方の端縁から幅方向他方の端縁に向かって延びる直線よりなり、
前記継ぎ目のタイヤ周方向他方の端縁は、タイヤ周方向に対して前記第１の傾斜角度よりも小さい第２の傾斜角度で傾斜し、前記タイヤ構成部材の幅方向一方の端縁からタイヤ赤道面に向かって延びる第１の直線と、タイヤ周方向に対して前記第１の傾斜角度よりも大きい第３の傾斜角度で傾斜し、タイヤ赤道面から前記タイヤ構成部材の幅方向他方の端縁に向かって延びる第２の直線とからなることを特徴とする、空気入りタイヤ。
【請求項２】
前記継ぎ目のタイヤ周方向に対する傾斜角度が、８５°以下であることを特徴とする、請求項１に記載の空気入りタイヤ。
【請求項３】
前記継ぎ目のタイヤ周方向に沿う寸法が、タイヤ赤道面位置から前記タイヤ構成部材の幅方向端縁位置に向かって漸増することを特徴する、請求項１または２に記載の空気入りタイヤ。
【請求項４】
タイヤ赤道面位置における前記継ぎ目のタイヤ周方向に沿う寸法が、前記タイヤ構成部材の幅方向端縁位置における前記継ぎ目のタイヤ周方向に沿う寸法の１５％以上８５％以下であることを特徴とする、請求項１〜３の何れかに記載の空気入りタイヤ。
【請求項５】
前記継ぎ目のタイヤ周方向に沿う寸法が、前記タイヤ構成部材の幅方向端縁位置において５ｍｍ以上３０ｍｍ以下であることを特徴とする、請求項１〜４の何れかに記載の空気入りタイヤ。
【請求項６】
前記タイヤ構成部材が、タイヤ内面に配設されたインナーライナーであり、
前記タイヤ用帯状部材は、樹脂組成物を用いて形成した樹脂製フィルム層を少なくとも一層含むことを特徴とする、請求項１〜５の何れかに記載の空気入りタイヤ。
【請求項７】
平面視帯状で、幅方向に直交する延在方向の寸法が、幅方向中央側で小さく、幅方向両端側で大きく、
延在方向両端縁が、延在方向に対して一方向に傾斜し、
延在方向一方の端縁は、延在方向に対して第１の傾斜角度で傾斜し、幅方向一方の端縁から幅方向他方の端縁に向かって延びる直線よりなり、
延在方向他方の端縁は、延在方向に対して前記第１の傾斜角度よりも小さい第２の傾斜角度で傾斜し、幅方向一方の端縁から幅方向中央に向かって延びる第１の直線と、延在方向に対して前記第１の傾斜角度よりも大きい第３の傾斜角度で傾斜し、幅方向中央から幅方向他方の端縁に向かって延びる第２の直線とからなることを特徴とする、タイヤ用帯状部材。
【請求項８】
延在方向一方の端縁の幅方向端同士を結ぶ直線の延在方向に対する傾斜角度が８５°以下であり、
延在方向他方の端縁の幅方向端同士を結ぶ直線の延在方向に対する傾斜角度が８５°以下であることを特徴とする、請求項７に記載のタイヤ用帯状部材。
【請求項９】
延在方向の寸法が、幅方向中央位置から幅方向端縁位置に向かって漸増することを特徴する、請求項７または８に記載のタイヤ用帯状部材。
【請求項１０】
樹脂組成物を用いて形成した樹脂製フィルム層を少なくとも一層含むことを特徴とする、請求項７〜９の何れかに記載のタイヤ用帯状部材。
【発明の詳細な説明】
【技術分野】
【０００１】
本発明は、空気入りタイヤおよびタイヤ用帯状部材に関し、特に、耐久性に優れる空気入りタイヤ、および、その空気入りタイヤに用いられる帯状部材に関するものである。
【背景技術】
【０００２】
近年、タイヤの転がり抵抗を低減する観点から、タイヤの重量低減と、内圧保持性能の向上とを両立することが求められている。そのため、タイヤの内圧を保持するためのガスバリア層としてタイヤ内面に配設されるインナーライナーには、軽量化と、耐ガス透過性の向上との双方を達成することが求められている。
【０００３】
そこで、軽量で、且つ、耐ガス透過性に優れるインナーライナーとして、ガス透過係数の小さい樹脂組成物を用いて形成した樹脂製フィルム層を有するインナーライナーが提案されている。具体的には、軽量で、且つ、耐ガス透過性に優れるインナーライナーとして、エチレン−ビニルアルコール共重合体（以下「ＥＶＯＨ」と略記することがある。）や、ＥＶＯＨにエポキシ化合物を反応させて得た変性エチレン−ビニルアルコール共重合体等を用いて形成した樹脂製フィルム層を有するインナーライナーが提案されている（例えば、特許文献１参照）。
【０００４】
ここで、一般に、空気入りタイヤは、種々のタイヤ構成部材をタイヤ成形ドラムの外周面上に巻き付けて生タイヤ（グリーンタイヤ）を形成し、該生タイヤを加硫することにより製造される。そして、生タイヤの成形工程においては、拡径させたタイヤ成形ドラムの外周面に対し、インナーライナー、カーカスプライ、ベルトプライ等のタイヤ構成部材が巻き付けられる。なお、通常、インナーライナー等のタイヤ構成部材は、タイヤ成形ドラム上で両端部を所定の長さだけ重ね合わせて円筒状に接合される（即ち、オーバーラップジョイント方式で接合される。）。
【０００５】
また、オーバーラップジョイント方式で上記インナーライナーを接合する場合には、タイヤのユニフォーミティの低下を抑制するために、複数の樹脂製シート部材を継ぎ重ねてインナーライナーを形成し、該樹脂製シート同士の継ぎ目と、インナーライナーを接合する際の継ぎ目（接合部）とをタイヤ周方向に等間隔で位置させることがある（例えば、特許文献２参照）。
【０００６】
しかし、樹脂製フィルム層を有する上記インナーライナーは、フィルム層が伸び難く、剛性が高いため、オーバーラップジョイント方式で接合した場合、フィルム層が重なり合う継ぎ目において、タイヤ径方向の引張剛性が局所的に高くなる。また、同様に、樹脂製シート同士の継ぎ目においてもタイヤ径方向の引張剛性が局所的に高くなる。
【０００７】
そのため、上記インナーライナーを用いた空気入りタイヤでは、生タイヤの成形工程においてタイヤ成形ドラムを拡径すると、インナーライナーの継ぎ目や樹脂製シート同士の継ぎ目（即ち、伸び難い部分）の近傍が他の部分よりも伸ばされることとなる。また、インナーライナーの継ぎ目や樹脂製シート同士の継ぎ目の近傍では、インナーライナーのタイヤ外周面側に隣接配置されたカーカスプライもインナーライナーと共にタイヤ周方向に伸ばされることとなる。従って、上記インナーライナーを用いた空気入りタイヤでは、生タイヤの形成中に、インナーライナーの継ぎ目や樹脂製シート同士の継ぎ目の近傍においてカーカスプライの補強コードの間隔が局所的に広がり、タイヤの圧力容器としての耐久性が局所的に低下してしまう。
【０００８】
そこで、インナーライナーの継ぎ目や樹脂製シート同士の継ぎ目の近傍における不均一な伸びの発生を抑制してカーカスプライの補強コードの間隔が局所的に広がるのを抑制する方法として、インナーライナーのフィルム層のうち少なくとも一層を継ぎ目なしの円筒状フィルム層とすることが提案されている（例えば、特許文献３参照）。
【先行技術文献】
【特許文献】
【０００９】
【特許文献１】特開２００２−５２９０４号公報
【特許文献２】特開２００９−４０１１７号公報
【特許文献３】特開２０１０−１３２２２７号公報
【発明の概要】
【発明が解決しようとする課題】
【００１０】
しかし、継ぎ目なしの円筒状フィルム層を有するインナーライナーは、タイヤ成形ドラムに巻き付けることができないため、該インナーライナーを用いたタイヤの製造工程は煩雑になる。そのため、円筒状フィルム層を有するインナーライナーを用いた従来の空気入りタイヤには、耐久性の局所的な低下を抑制することはできるものの、生産性が低いという問題があった。
また、上述したような、タイヤ成形ドラムの拡径時に部材同士の継ぎ目の近傍が他の部分よりも伸び、タイヤの耐久性が局所的に低下するという問題は、インナーライナー以外の部材（例えば、カーカスやベルト）をオーバーラップジョイント方式で接合した場合にも起こり得る。しかし、インナーライナー以外の部材については、タイヤの耐久性の局所的な低下を抑制するための有効な手段が提案されていなかった。
【００１１】
そこで、本発明は、圧力容器としての耐久性が優れており、且つ、容易に製造することができる空気入りタイヤを提供することを目的とする。また、本発明は、該空気入りタイヤの製造に好適に用い得る、タイヤの耐久性の局所的な低下を抑制することができるタイヤ用帯状部材を提供することを目的とする。
なお、本発明において、「タイヤ用帯状部材」には、それ自体が単独でインナーライナー、カーカスプライ、ベルトプライ等のタイヤ構成部材となる帯状部材と、複数の帯状部材を継ぎ重ねてインナーライナー、カーカスプライ、ベルトプライ等のタイヤ構成部材を形成する際の各帯状部材との双方が含まれる。
【課題を解決するための手段】
【００１２】
本発明者は、上記目的を達成するために鋭意検討を行った。そして、本発明者は、タイヤ成形ドラムを用いた生タイヤの成形工程では、タイヤ赤道面側の拡張率（伸び）がビード部側の拡張率よりも大きいため、タイヤ用帯状部材をオーバーラップジョイント方式で接合した場合には特にタイヤ赤道面側でタイヤの耐久性が局所的に低下し易いことを見出した。そこで、本発明者は更に検討を重ね、タイヤ用帯状部材を重ね合わせる量（オーバーラップ量）をタイヤ用帯状部材の幅方向に変化させることでタイヤの耐久性が局所的に低下するのを抑制し得ることを見出し、本発明を完成させた。
【００１３】
即ち、この発明は、上記課題を有利に解決することを目的とするものであり、本発明の空気入りタイヤは、タイヤ周方向に連続して延びるタイヤ構成部材を備える空気入りタイヤであって、前記タイヤ構成部材は、一つ以上のタイヤ用帯状部材よりなり、且つ、タイヤ用帯状部材のタイヤ周方向端部同士をタイヤ径方向に重ね合わせて接合する継ぎ目を少なくとも一つ有し、前記継ぎ目のタイヤ周方向に沿う寸法が、タイヤ赤道面側で小さく、前記タイヤ構成部材の幅方向両端側で大きく、前記継ぎ目のタイヤ周方向両端縁が、タイヤ周方向に対して一方向に傾斜し、前記継ぎ目のタイヤ周方向一方の端縁は、タイヤ周方向に対して第１の傾斜角度で傾斜し、前記タイヤ構成部材の幅方向一方の端縁から幅方向他方の端縁に向かって延びる直線よりなり、前記継ぎ目のタイヤ周方向他方の端縁は、タイヤ周方向に対して前記第１の傾斜角度よりも小さい第２の傾斜角度で傾斜し、前記タイヤ構成部材の幅方向一方の端縁からタイヤ赤道面に向かって延びる第１の直線と、タイヤ周方向に対して前記第１の傾斜角度よりも大きい第３の傾斜角度で傾斜し、タイヤ赤道面から前記タイヤ構成部材の幅方向他方の端縁に向かって延びる第２の直線とからなることを特徴とする。このように、タイヤ構成部材を一つ以上のタイヤ用帯状部材を接合して形成すれば、タイヤ成形ドラムを用いてタイヤを製造する際の製造工程が煩雑化するのを抑制することができる。また、タイヤ用帯状部材のタイヤ周方向端部同士の継ぎ目のタイヤ周方向に沿う寸法を、タイヤ赤道面側で小さくし、タイヤ構成部材の幅方向両端側で大きくすれば、継ぎ目のタイヤ赤道面側におけるタイヤ径方向の引張剛性を小さくすることができる。従って、生タイヤの成形工程においてタイヤ成形ドラムを拡径させた際に継ぎ目のタイヤ赤道面側の近傍が他の部分よりも伸ばされるのを抑制して、タイヤの耐久性が局所的に低下するのを抑制することができる。
なお、本発明において、「タイヤ用帯状部材のタイヤ周方向端部同士をタイヤ径方向に重ね合わせて接合する」とは、タイヤ構成部材が一つのタイヤ用帯状部材のみからなる場合には、該タイヤ用帯状部材のタイヤ周方向一方の端部と、タイヤ周方向他方の端部とを接合することを指し、タイヤ構成部材が二つ以上のタイヤ用帯状部材を接合してなる場合には、互いに接合されるタイヤ用帯状部材のタイヤ周方向端部同士を接合することを指す。
【００１４】
また、本発明の空気入りタイヤは、前記継ぎ目のタイヤ周方向両端縁が、タイヤ周方向に対して一方向に傾斜しているのは、継ぎ目のタイヤ周方向端縁をタイヤ周方向に対して一方向に傾斜させれば、タイヤ構成部材の全幅に亘って継ぎ目のタイヤ周方向端縁の位置をタイヤ周方向に異ならせることができるので、タイヤの耐久性が局所的に低下するのを更に抑制することができるからである。
【００１５】
また、本発明の空気入りタイヤは、前記継ぎ目のタイヤ周方向一方の端縁は、タイヤ周方向に対して第１の傾斜角度で傾斜し、前記タイヤ構成部材の幅方向一方の端縁から幅方向他方の端縁に向かって延びる直線よりなり、前記継ぎ目のタイヤ周方向他方の端縁は、タイヤ周方向に対して前記第１の傾斜角度よりも小さい第２の傾斜角度で傾斜し、前記タイヤ構成部材の幅方向一方の端縁からタイヤ赤道面に向かって延びる第１の直線と、タイヤ周方向に対して前記第１の傾斜角度よりも大きい第３の傾斜角度で傾斜し、タイヤ赤道面から前記タイヤ構成部材の幅方向他方の端縁に向かって延びる第２の直線とからなるのは、このように構成すれば、タイヤ構成部材の全幅に亘って継ぎ目のタイヤ周方向端縁の位置をタイヤ周方向に異ならせつつ、継ぎ目のタイヤ周方向に沿う寸法をタイヤ赤道面側で小さくすることができるからである。
【００１６】
更に、本発明の空気入りタイヤは、前記継ぎ目のタイヤ周方向に対する傾斜角度が、８５°以下であることが好ましい。継ぎ目のタイヤ周方向に対する傾斜角度を８５°以下とすれば、他の部分と比較して質量が大きくなる継ぎ目の位置をタイヤ周方向に分散させ、タイヤのユニフォーミティの悪化を抑制することができるからである。
なお、本発明において、「継ぎ目のタイヤ周方向に対する傾斜角度」とは、継ぎ目のタイヤ周方向端縁の幅方向端同士を結ぶ直線と、タイヤ周方向に沿う線とがなす角度（鋭角側）を指す。因みに、継ぎ目のタイヤ周方向一方の端縁とタイヤ周方向他方の端縁とで直線の傾斜角度が異なっている場合には、両方の傾斜角度が８５°以下であることが必要である。
【００１７】
また、本発明の空気入りタイヤは、前記継ぎ目のタイヤ周方向に沿う寸法が、タイヤ赤道面位置から前記タイヤ構成部材の幅方向端縁位置に向かって漸増することが好ましい。タイヤ成形ドラムを用いた生タイヤの成形工程におけるタイヤ構成部材の拡張率（伸び）は、ビード部側からタイヤ赤道面側に向かって漸増するからである。即ち、継ぎ目のタイヤ周方向に沿う寸法をタイヤ赤道面位置からタイヤ構成部材の幅方向端縁位置に向かって漸増させれば、拡張率の大きい部分ほど継ぎ目のタイヤ径方向の引張剛性を小さくして、タイヤの耐久性が局所的に低下するのを効率的に抑制することができるからである。
【００１８】
更に、本発明の空気入りタイヤは、タイヤ赤道面位置における前記継ぎ目のタイヤ周方向に沿う寸法が、前記タイヤ構成部材の幅方向端縁位置における前記継ぎ目のタイヤ周方向に沿う寸法の１５％以上８５％以下であることが好ましい。タイヤ赤道面位置における継ぎ目のタイヤ周方向寸法が、幅方向端縁位置における継ぎ目のタイヤ周方向寸法の１５％未満の場合、タイヤ用帯状部材のタイヤ周方向端部同士が良好に接着しないことがあるからである。また、タイヤ赤道面位置における継ぎ目のタイヤ周方向寸法が、幅方向端縁位置における継ぎ目のタイヤ周方向寸法の８５％超の場合、継ぎ目のタイヤ赤道面側におけるタイヤ径方向の引張剛性を十分に小さくすることが困難だからである
【００１９】
また、本発明の空気入りタイヤは、前記継ぎ目のタイヤ周方向に沿う寸法が、前記タイヤ構成部材の幅方向端縁位置において５ｍｍ以上３０ｍｍ以下であることが好ましい。タイヤ構成部材の幅方向端縁位置における継ぎ目のタイヤ周方向寸法が５ｍｍ未満の場合、タイヤ用帯状部材のタイヤ周方向端部同士が良好に接着しないことがあるからである。また、タイヤ構成部材の幅方向端縁位置における継ぎ目のタイヤ周方向寸法が３０ｍｍ超の場合、タイヤ構成部材の重量が増加すると共に、タイヤ構成部材の幅方向端側における継ぎ目のタイヤ径方向の引張剛性が増加してタイヤの耐久性が局所的に低下するからである。
【００２０】
そして、本発明の空気入りタイヤは、前記タイヤ構成部材が、タイヤ内面に配設されたインナーライナーであり、前記タイヤ用帯状部材は、樹脂組成物を用いて形成した樹脂製フィルム層を少なくとも一層含むことが好ましい。樹脂製フィルム層を含むインナーライナーは、フィルム層が伸び難く、剛性が高いため、上述したタイヤの耐久性の局所的な低下が起こり易いからである。
【００２１】
また、この発明は、上記課題を有利に解決することを目的とするものであり、本発明のタイヤ用帯状部材は、平面視帯状で、幅方向に直交する延在方向の寸法が、幅方向中央側で小さく、幅方向両端側で大きく、延在方向両端縁が、延在方向に対して一方向に傾斜し、延在方向一方の端縁は、延在方向に対して第１の傾斜角度で傾斜し、幅方向一方の端縁から幅方向他方の端縁に向かって延びる直線よりなり、延在方向他方の端縁は、延在方向に対して前記第１の傾斜角度よりも小さい第２の傾斜角度で傾斜し、幅方向一方の端縁から幅方向中央に向かって延びる第１の直線と、延在方向に対して前記第１の傾斜角度よりも大きい第３の傾斜角度で傾斜し、幅方向中央から幅方向他方の端縁に向かって延びる第２の直線とからなることを特徴とする。このように、延在方向の寸法を、幅方向中央側で小さくし、幅方向両端側で大きくすれば、該タイヤ用帯状部材の延在方向端部同士を接合した際に、延在方向に沿う継ぎ目の長さを幅方向中央側で短くすることができる。従って、タイヤ用帯状部材を用いて製造した空気入りタイヤの耐久性が局所的に低下するのを抑制することができる。
【００２２】
また、本発明のタイヤ用帯状部材は、延在方向両端縁が、延在方向に対して一方向に傾斜しているのは、延在方向端縁を延在方向に対して一方向に傾斜させれば、該タイヤ用帯状部材の延在方向端部同士を接合した際に、継ぎ目の延在向端縁の位置を延在方向に異ならせることができるからである。即ち、タイヤ用帯状部材を用いて空気入りタイヤを製造した際に、タイヤの耐久性が局所的に低下するのを更に抑制することができるからである。
【００２３】
また、本発明のタイヤ用帯状部材は、延在方向一方の端縁は、延在方向に対して第１の傾斜角度で傾斜し、幅方向一方の端縁から幅方向他方の端縁に向かって延びる直線よりなり、延在方向他方の端縁は、延在方向に対して前記第１の傾斜角度よりも小さい第２の傾斜角度で傾斜し、幅方向一方の端縁から幅方向中央に向かって延びる第１の直線と、延在方向に対して前記第１の傾斜角度よりも大きい第３の傾斜角度で傾斜し、幅方向中央から幅方向他方の端縁に向かって延びる第２の直線とからなるのは、このように構成すれば、タイヤ用帯状部材を用いて空気入りタイヤを製造した際に、タイヤ用帯状部材の延在方向端部同士の継ぎ目のタイヤ周方向端縁の位置をタイヤ周方向に異ならせつつ、継ぎ目のタイヤ周方向に沿う寸法をタイヤ赤道面側で小さくすることができるからである。
【００２４】
更に、本発明のタイヤ用帯状部材は、延在方向一方の端縁の幅方向端同士を結ぶ直線の延在方向に対する傾斜角度が８５°以下であり、延在方向他方の端縁の幅方向端同士を結ぶ直線の延在方向に対する傾斜角度が８５°以下であることが好ましい。このように構成すれば、タイヤ用帯状部材を用いて空気入りタイヤを製造した際に、タイヤ用帯状部材の延在方向端部同士の継ぎ目の傾斜角度を８５°以下としてタイヤのユニフォーミティの悪化を抑制することができるからである。
【００２５】
また、本発明のタイヤ用帯状部材は、延在方向の寸法が、幅方向中央位置から幅方向端縁位置に向かって漸増することが好ましい。タイヤ成形ドラムを用いた生タイヤの成形工程におけるタイヤ構成部材の拡張率（伸び）は、ビード部側からタイヤ赤道面側に向かって漸増するからである。即ち、継ぎ目のタイヤ周方向に沿う寸法をタイヤ赤道面位置からタイヤ構成部材の幅方向端縁位置に向かって漸増させれば、拡張率の大きい部分ほど継ぎ目のタイヤ径方向の引張剛性を小さくして、タイヤの耐久性が局所的に低下するのを効率的に抑制することができるからである。
【００２６】
そして、本発明のタイヤ用帯状部材は、樹脂組成物を用いて形成した樹脂製フィルム層を少なくとも一層含むことが好ましい。樹脂製フィルム層を含むタイヤ用帯状部材は、フィルム層が伸び難く、剛性が高いため、タイヤに用いた際に上述したタイヤの耐久性の局所的な低下を起こし易いからである。
【発明の効果】
【００２７】
本発明によれば、圧力容器としての耐久性が優れており、且つ、容易に製造することができる空気入りタイヤを提供することができる。また、本発明によれば、該空気入りタイヤの製造に好適に用い得る、タイヤの耐久性の局所的な低下を抑制することができるタイヤ用帯状部材を提供することができる。
【図面の簡単な説明】
【００２８】
【図１】本発明に従う代表的な空気入りタイヤのタイヤ幅方向断面図である。
【図２】（ａ）は、本発明に従う代表的なタイヤ用帯状部材を示す平面図であり、（ｂ）は、図２（ａ）に示すタイヤ用帯状部材を接合してなるタイヤ構成部材（インナーライナー）のタイヤ周方向断面を模式的に示す図である。
【図３】（ａ）〜（ｄ）は、本発明に従うタイヤ用帯状部材の変形例を示す平面図である。
【発明を実施するための形態】
【００２９】
以下、図面を参照して本発明の実施の形態を詳細に説明する。ここで、本発明の空気入りタイヤは、インナーライナー等のタイヤ内部に配設されたタイヤ構成部材を、所定形状のタイヤ用帯状部材を所定形状の継ぎ目となるように接合して構成したことを特徴とする。
なお、以下では、本発明の空気入りタイヤの一例として、本発明に係るタイヤ用帯状部材を用いてインナーライナー（タイヤ構成部材）を形成した場合について説明する。しかし、本発明の空気入りタイヤは、インナーライナー以外のタイヤ構成部材（例えば、ベルトやカーカス）を本発明に係るタイヤ用帯状部材を用いて形成したものであっても良い。
【００３０】
＜空気入りタイヤ＞
図１に、本発明に従う空気入りタイヤの一例のタイヤ幅方向断面の概略構成を示す。ここで、図１に示す空気入りタイヤ１０は、トレッド部１と、トレッド部１の側部からタイヤ径方向内方に延びる一対のサイドウォール部２と、各サイドウォール部２のタイヤ径方向内方に連なるビード部３とを備えている。
【００３１】
また、空気入りタイヤ１０は、一対のビード部３間に延在する１プライからなるラジアルカーカス５を備えている。ここで、ラジアルカーカス５は、トレッド部１から一対のサイドウォール部２を介して一対のビード部３にわたってトロイド状に延び、ビード部３内に埋設された断面略六角形のビードコア４の周りでタイヤ幅方向内側からタイヤ幅方向外側に向かって折り返されてなる。なお、図１ではカーカスプライのプライ数を１プライとした場合を示しているが、本発明の空気入りタイヤでは、プライ数は必要に応じて２プライ以上とすることができる。また、本発明の空気入りタイヤでは、カーカスの折り返し形式は特に限定されることはなく、カーカスは例えばビードコアの周りに巻き付けられていても良い。
【００３２】
更に、トレッド部１のラジアルカーカス５のタイヤ径方向外側（クラウン部外周側）には、タイヤ周方向に対して所定の角度で配列されたコードをゴム被覆してなるベルト層６１，６２，６３を３層配設してなるベルト６が埋設されている。そして、ベルト６のタイヤ径方向外側には、トレッドゴムが配設されており、該トレッドゴムの表面（即ち、トレッド部踏面）には、複数本の溝９が形成されている。なお、図１では、ベルト６が、合計３層のベルト層６１，６２，６３からなる場合を示しているが、本発明の空気入りタイヤでは、ベルト層の数は任意の層数とすることができる。
【００３３】
また、ビード部３のビードコア４のタイヤ径方向外側には、ラジアルカーカス５に沿ってタイヤ径方向外方に向けて厚みが漸減する断面略三角形のビードフィラー７が配設されている。
【００３４】
そして、空気入りタイヤ１０は、ラジアルカーカス５の内面側、より具体的には空気入りタイヤ１０の内周面に、耐ガス透過性に優れる（即ち、ガス透過係数の小さい）材料からなるインナーライナー８を備えている。
【００３５】
なお、空気入りタイヤ１０では、ラジアルカーカス５、ベルト６、インナーライナー８などの各部材はタイヤ赤道面Ｃを中心として面対称に配設されている。即ち、ラジアルカーカス５、ベルト６、インナーライナー８などの各部材の幅方向中心位置とタイヤ赤道面Ｃの位置とは一致する。
【００３６】
＜インナーライナー＞
ここで、空気入りタイヤ１０のタイヤ構成部材としてのインナーライナー８は、空気入りタイヤ１０の全周に亘って連続して延在している。そして、このインナーライナー８は、図２（ａ）に示すような平面視形状のタイヤ用帯状部材８０を複数接合して形成されている。具体的には、インナーライナー８は、赤道面Ｃ位置におけるタイヤ周方向断面を図２（ｂ）に示すように、３つのタイヤ用帯状部材８０をタイヤ周方向に連続するように接合して形成されている。なお、空気入りタイヤ１０のユニフォーミティの悪化を抑制する観点からは、タイヤ用帯状部材８０同士を接合する継ぎ目はタイヤ周方向に等間隔で位置していることが好ましい。
因みに、インナーライナー８は複数のタイヤ用帯状部材の端部同士をタイヤ径方向に重ね合わせて接合することにより形成したが、本発明の空気入りタイヤでは、長尺のタイヤ用帯状部材を一つのみ用いてインナーライナーを形成しても良い。そして、一つのタイヤ用帯状部材を用いてインナーライナーを形成する場合には、タイヤ用帯状部材の一方の端部と他方の端部とを接合することにより、一箇所の継ぎ目を有するインナーライナーを形成する。
【００３７】
インナーライナー８を構成するタイヤ用帯状部材８０は、図２（ａ）に示すように、帯状で、幅方向（図２（ａ）では左右方向）に直交する方向（図２（ａ）では上下方向）に延在している。そして、タイヤ用帯状部材８０同士は、インナーライナー８を形成する際に延在方向両端部同士を重ね合わせて接合される。即ち、空気入りタイヤ１０では、インナーライナー８を構成するタイヤ用帯状部材８０の延在方向と、空気入りタイヤ１０のタイヤ周方向とが一致する。
【００３８】
ここで、タイヤ用帯状部材８０は、延在方向両端縁が、延在方向に対して一方向に（図２（ａ）では右下がりに）傾斜している。より具体的には、タイヤ用帯状部材８０は、延在方向一方（図２（ａ）では下側）の端縁が、延在方向に対して第１の傾斜角度θ1で傾斜する直線８１よりなる。また、タイヤ用帯状部材８０の延在方向他方（図２（ａ）では上側）の端縁は、タイヤ用帯状部材８０の幅方向一方（図２（ａ）では左側）の端縁Ｅからタイヤ用帯状部材８０の幅方向中央Ｃまで延びる第１の直線８２と、幅方向中央Ｃから幅方向他方（図２（ａ）では右側）の端縁Ｅまで延びる第２の直線８３とからなるＶ字状をしている。そして、第１の直線８２は、延在方向に対して第１の傾斜角度θ1よりも小さい第２の傾斜角度θ2で傾斜している。また、第２の直線８３は、延在方向に対して第１の傾斜角度θ1よりも大きい第３の傾斜角度θ3で傾斜している。
【００３９】
従って、タイヤ用帯状部材８０は、延在方向の寸法が、幅方向中央Ｃ位置から幅方向端縁Ｅ位置に向かって漸増している。即ち、タイヤ用帯状部材８０では、延在方向の寸法が、幅方向中央側で小さく、幅方向両端側で大きい。
【００４０】
更に、タイヤ用帯状部材８０では、延在方向一方（図２（ａ）では下側）の端縁の幅方向端８４Ａ，８４Ｂ同士を結ぶ直線８１の延在方向に対する傾斜角度（第１の傾斜角度θ1）が８５°以下、好ましくは５°以上８５°以下である。また、タイヤ用帯状部材８０では、延在方向他方（図２（ａ）では上側）の端縁の幅方向端８４Ｃ，８４Ｄ同士を結ぶ直線（図２（ａ）中、二点鎖線で示す。）の延在方向に対する傾斜角度は、直線８１の延在方向に対する傾斜角度と等しい。
【００４１】
そして、タイヤ用帯状部材８０は、タイヤ用帯状部材８０の延在方向一方の端部と、該タイヤ用帯状部材８０に接合される別のタイヤ用帯状部材８０の延在方向他方の端部とを接合して長尺の帯状部材を形成した後に、該長尺の帯状部材の延在方向一方の端部と延在方向他方の端部とを接合することによりインナーライナー８とされる。即ち、タイヤ用帯状部材８０の端部同士は、インナーライナーとされた際にタイヤ径方向に重なり合うように接合される。
【００４２】
ここで、インナーライナー８を構成するタイヤ用帯状部材８０の端部同士が重なり合って接合される部分（継ぎ目）の形状は、図２（ａ）に斜線で示すような形状となる。
具体的には、継ぎ目の幅方向両端縁（インナーライナー８の幅方向両端縁）は、タイヤ周方向に沿う直線形状となる。また、継ぎ目は、タイヤ周方向一方（図２（ａ）では下側）の端縁が、タイヤ用帯状部材８０の延在方向一方の端縁に対応した直線形状となり、タイヤ周方向他方（図２（ａ）では上側）の端縁が、タイヤ用帯状部材８０の延在方向他方の端縁に対応したＶ字形状となる。従って、継ぎ目のタイヤ周方向両端縁は、タイヤ周方向に対して一方向に（図２（ａ）では右下がりに）傾斜する。
【００４３】
更に、インナーライナー８では、継ぎ目の幅方向中央（タイヤ赤道面Ｃ位置）におけるタイヤ周方向に沿う寸法ＷCが、継ぎ目の幅方向両端Ｅ位置におけるタイヤ周方向に沿う寸法ＷEよりも小さくなる。より具体的には、継ぎ目のタイヤ周方向に沿う寸法は、タイヤ赤道面Ｃ位置からインナーライナー８の幅方向端縁Ｅ位置に向かって漸増する。即ち、空気入りタイヤ１０では、インナーライナー８を構成するタイヤ用帯状部材８０の継ぎ目のタイヤ周方向に沿う寸法は、タイヤ赤道面Ｃ側で小さくなり、各ビード部４側で大きくなる。
【００４４】
そして、上記構成を有するインナーライナー８では、継ぎ目のタイヤ周方向に沿う寸法（タイヤ用帯状部材８０のオーバーラップ量）がタイヤ赤道面Ｃ側で小さいので、継ぎ目のタイヤ径方向の引張剛性が、ビード部４側よりもタイヤ赤道面Ｃ側で小さくなる。従って、インナーライナー８を備える空気入りタイヤ１０では、タイヤ製造時の生タイヤの成形工程においてタイヤ成形ドラムの外周面上に少なくともインナーライナー８およびラジアルカーカス５を巻き付けた状態でタイヤ成形ドラムを拡径させた際にタイヤの耐久性が局所的に低下するのを抑制することができる。即ち、空気入りタイヤ１０では、タイヤ成形ドラムの拡張率が大きいタイヤ赤道面Ｃ側のタイヤ径方向の引張剛性を拡張率が小さいビード部４側のタイヤ径方向の引張剛性よりも小さくして、タイヤ成形ドラムを拡径した際の継ぎ目のタイヤ赤道面Ｃの近傍の伸びの量を小さくすることができる。従って、空気入りタイヤ１０では、生タイヤの成形工程における継ぎ目のタイヤ赤道面Ｃの近傍の伸びの量を小さくして、インナーライナー８のタイヤ径方向外側に隣接配置されたラジアルカーカス５の補強コード配列間隔がタイヤ成形ドラムの拡径時に局所的に広がる（即ち、単位長さ当たりの補強コード打ち込み本数が減る）のを抑制することができる。そのため、このインナーライナー８を備える空気入りタイヤ１０では、生タイヤの成形工程においてラジアルカーカス５の補強コードの配列間隔が局所的に広がるのを抑制し、タイヤの圧力容器としての耐久性が局所的に低下するのを抑制することができる。
【００４５】
なお、この空気入りタイヤ１０では、インナーライナー８の継ぎ目のタイヤ周方向に沿う寸法が、タイヤ赤道面Ｃ位置からインナーライナー８の幅方向端縁Ｅ位置に向かって漸増している。一方、タイヤ成形ドラムを用いた生タイヤの成形工程におけるインナーライナー８やラジアルカーカス５等の拡張率（伸び）は、ビード部４側からタイヤ赤道面Ｃ側に向かって漸増する。従って、この空気入りタイヤ１０では、拡張率の大きい部分（タイヤ赤道面Ｃ側）ほど継ぎ目のタイヤ径方向の引張剛性を小さくして、タイヤの耐久性が局所的に低下するのを効率的に抑制することができる。
【００４６】
また、この空気入りタイヤ１０では、インナーライナー８の継ぎ目のタイヤ周方向両端縁がタイヤ周方向に対して一方向に（図２（ａ）では右下がりに）傾斜しているので、継ぎ目のタイヤ周方向端縁の位置がインナーライナー８の全幅に亘ってタイヤ周方向に異なっている。従って、生タイヤの成形工程においてタイヤ成形ドラムを拡径した際に、継ぎ目の剛性の高さに起因して継ぎ目の近傍においてタイヤ周方向に長く延びる部分を、インナーライナー８の全幅に亘ってタイヤ周方向に異ならせることができる。そのため、この空気入りタイヤ１０では、継ぎ目の近傍においてタイヤ周方向に長く延びる部分（即ち、ラジアルカーカス５が補強コード間隔の広がる方向に大きな力を受ける部分）をタイヤ周方向にも分散させ、タイヤの圧力容器としての耐久性が局所的に低下するのを更に抑制することができる。
因みに、空気入りタイヤ１０では、インナーライナー８を構成するタイヤ用帯状部材８０の延在方向一方の端縁が直線８１よりなり、延在方向他方の端縁が第１の直線８２および第２の直線８３よりなる。従って、複雑な裁断加工を要することなくタイヤ用帯状部材８０を製造して、インナーライナー８の継ぎ目のタイヤ周方向に沿う寸法をタイヤ赤道面側で小さくすると共に、継ぎ目のタイヤ周方向両端縁をタイヤ周方向に対して一方向に傾斜させることができる。具体的には、タイヤ用帯状部材８０の製造時に複雑な裁断加工を要することなく、インナーライナー８の継ぎ目の形状を、タイヤ周方向一方の端縁がタイヤ周方向に対して第１の傾斜角度θ1で傾斜する直線よりなり、タイヤ周方向他方の端縁がタイヤ周方向に対して第２の傾斜角度θ2で傾斜してインナーライナー８の幅方向一方の端縁Ｅからタイヤ赤道面Ｃまで延びる第１の直線と、タイヤ周方向に対して第３の傾斜角度θ3で傾斜してタイヤ赤道面Ｃからインナーライナー８の幅方向他方の端縁Ｅまで延びる第２の直線とよりなり、幅方向両端縁がタイヤ周方向に沿って延びる直線よりなる形状とすることができる。
【００４７】
また、空気入りタイヤ１０では、インナーライナー８を構成するタイヤ用帯状部材８０の延在方向一方の端縁の幅方向端８４Ａ，８４Ｂ同士を結ぶ直線８１の延在方向に対する傾斜角度が８５°以下である。また、タイヤ用帯状部材８０の延在方向他方の端縁の幅方向端８４Ｃ，８４Ｄ同士を結ぶ直線の延在方向に対する傾斜角度も８５°以下である。従って、空気入りタイヤ１０では、インナーライナー８の継ぎ目のタイヤ周方向に対する傾斜角度を８５°以下として、継ぎ目の位置をタイヤ周方向に分散させることができる。そのため、空気入りタイヤ１０では、他の部分と比較して質量が大きくなる継ぎ目の位置をタイヤ周方向に分散させて、タイヤのユニフォーミティの悪化を抑制することができる。なお、継ぎ目のタイヤ周方向に対する傾斜角度は５°以上であることが好ましい。継ぎ目のタイヤ周方向に対する傾斜角度が５°未満の場合、継ぎ目の長さが長くなり、成形ドラム上での作業性が悪化するからである。
【００４８】
なお、空気入りタイヤ１０のインナーライナー８では、タイヤ赤道面Ｃ位置における継ぎ目のタイヤ周方向に沿う寸法ＷCが、インナーライナー８の幅方向両端Ｅ位置における継ぎ目のタイヤ周方向に沿う寸法ＷEの１５％以上８５％以下であることが好ましい。寸法ＷCが寸法ＷEの１５％未満の場合、継ぎ目のタイヤ周方向の寸法が小さくなり、タイヤ用帯状部材８０のタイヤ周方向端部同士が良好に接着しないことがあるからである。また、寸法ＷCが寸法ＷEの８５％超の場合、継ぎ目のタイヤ周方向の寸法が大きくなり、継ぎ目のタイヤ赤道面Ｃ側におけるタイヤ径方向の引張剛性を十分に小さくすることが困難だからである。因みに、インナーライナー８の幅方向一端と幅方向他端とで継ぎ目のタイヤ周方向に沿う寸法が互いに異なる場合には、「寸法ＷE」は、幅方向端における継ぎ目のタイヤ周方向に沿う寸法のうち短い方のタイヤ周方向寸法を指す。
【００４９】
更に、空気入りタイヤ１０のインナーライナー８では、インナーライナー８の幅方向両端Ｅ位置における継ぎ目のタイヤ周方向に沿う寸法ＷEが５ｍｍ以上３０ｍｍ以下であることが好ましい。寸法ＷEが５ｍｍ未満の場合、継ぎ目のタイヤ周方向の寸法が小さくなり、タイヤ用帯状部材８０のタイヤ周方向端部同士が良好に接着しないことがあるからである。また、寸法ＷEが３０ｍｍ超の場合、継ぎ目のタイヤ周方向の寸法が大きくなり、インナーライナー８の重量が増加すると共に、インナーライナー８の幅方向端側における継ぎ目のタイヤ径方向の引張剛性が増加してタイヤの耐久性が局所的に低下する可能性があるからである。
【００５０】
なお、上述した空気入りタイヤ１０では、インナーライナー８の継ぎ目のタイヤ周方向に沿う寸法をタイヤ赤道面Ｃ位置からインナーライナー８の幅方向端縁Ｅ位置に向かって漸増させたが、本発明の空気入りタイヤでは、タイヤ赤道面Ｃ位置における寸法ＷCが幅方向端縁Ｅ位置寸法ＷEよりも小さければ、継ぎ目のタイヤ周方向に沿う寸法を漸増させなくても良い。
【００５１】
因みに、上述した空気入りタイヤ１０のインナーライナー８を構成するタイヤ用帯状部材としては、特に限定されることなく、ガス透過係数の小さい樹脂組成物を用いて形成した樹脂製フィルム層、或いは、該樹脂製フィルム層を少なくとも一層有する積層体を用いることができる。
【００５２】
具体的には、樹脂製フィルム層としては、例えば特許文献２（特開２００９−４０１１７号公報）に記載されているような、２０℃、６５％ＲＨにおける酸素透過係数が３．０×１０-12ｃｍ3・ｃｍ／cｍ2・ｓｅｃ・ｃｍＨｇ以下である樹脂製フィルム層を用いることができる。より具体的には、樹脂製フィルム層としては、エチレン含有量が２５〜５０モル％のエチレン−ビニルアルコール共重合体１００質量部に対し、エポキシ化合物１〜５０質量部を反応させて得られる変性エチレン−ビニルアルコール共重合体を含む樹脂組成物よりなる層を用いることができる。なお、変性エチレン−ビニルアルコール共重合体を含む樹脂組成物には、温度２３℃におけるヤング率が５００ＭＰａ以下の柔軟樹脂を１０〜３０質量％分散させることが好ましい。
また、樹脂製フィルム層を少なくとも一層有する積層体としては、特に限定されることなく、樹脂製フィルム層と、ブチルゴム等のエラストマーからなる補助層との積層体を用いることができる。
【００５３】
以上、図面を参照して本発明の空気入りタイヤおよびタイヤ用帯状部材の一例について説明したが、本発明の空気入りタイヤおよびタイヤ用帯状部材は上記一例に限定されることは無い。そして、本発明の空気入りタイヤおよびタイヤ用帯状部材には、適宜変更を加えることができる。
【００５４】
具体的には、本発明のタイヤ用帯状部材は、例えば図３（ａ）〜（ｄ）に示すような平面視形状のものであってもよい。また、本発明の空気入りタイヤは、図３（ａ）〜（ｄ）に示すようなタイヤ用帯状部材を用いてインナーライナーやカーカスプライ等のベルト構成部材を形成した空気入りタイヤであってもよい。
【００５５】
ここで、図３（ａ）に示すタイヤ用帯状部材８０Ａは、延在方向一方（図３（ａ）では下側）の端縁が、延在方向に対して直交する（即ち、タイヤ用帯状部材８０Ａの幅方向に沿って延びる）直線８１Ａよりなる。また、タイヤ用帯状部材８０Ａの延在方向他方（図３（ａ）では上側）の端縁は、タイヤ用帯状部材８０Ａの幅方向一方（図３（ａ）では左側）の端縁Ｅからタイヤ用帯状部材８０Ａの幅方向中央Ｃまで延びる第１の直線８２Ａと、幅方向中央Ｃから幅方向他方（図３（ａ）では右側）の端縁Ｅまで延びる第２の直線８３ＡとからなるＶ字状をしている。そして、タイヤ用帯状部材８０Ａは幅方向中心線Ｃを対称軸とした線対称形状をしている。即ち、第１の直線８２Ａと第２の直線８３Ａとはタイヤ用帯状部材８０Ａの延在方向に対して互いに反対方向に傾斜しており、タイヤ用帯状部材８０Ａの延在方向他方の端縁の幅方向両端は、同一の幅方向線上に位置している。なお、タイヤ用帯状部材８０Ａの端部同士が重なり合って接合される部分（継ぎ目）の形状は、図３（ａ）に斜線で示すような形状となる。従って、タイヤ用帯状部材８０Ａを用いて製造した空気入りタイヤでは、耐久性が局所的に低下するのを抑制することができる。
【００５６】
また、図３（ｂ）に示すタイヤ用帯状部材８０Ｂは、延在方向一方（図３（ｂ）では下側）の端縁が、タイヤ用帯状部材８０Ｂの幅方向一方（図３（ｂ）では左側）の端縁Ｅからタイヤ用帯状部材８０Ｂの幅方向中央Ｃまで延びる第１の直線８１Ｂと、幅方向中央Ｃから幅方向他方（図３（ａ）では右側）の端縁Ｅまで延びる第２の直線８５ＢとからなるＶ字状をしている。また、タイヤ用帯状部材８０Ｂの延在方向他方（図３（ａ）では上側）の端縁も、タイヤ用帯状部材８０Ｂの幅方向一方の端縁Ｅからタイヤ用帯状部材８０Ｂの幅方向中央Ｃまで延びる第３の直線８２Ｂと、幅方向中央Ｃから幅方向他方の端縁Ｅまで延びる第４の直線８３ＢとからなるＶ字状をしている。そして、タイヤ用帯状部材８０Ｂは幅方向中心線Ｃを対称軸とした線対称形状をしている。即ち、第１の直線８１Ｂと第２の直線８５Ｂとはタイヤ用帯状部材８０Ｂの延在方向に対して互いに反対方向に傾斜しており、第３の直線８２Ｂと第４の直線８３Ｂとはタイヤ用帯状部材８０Ｂの延在方向に対して互いに反対方向に傾斜している。そして、タイヤ用帯状部材８０Ｂの延在方向端縁の幅方向両端は、同一の幅方向線上に位置している。なお、タイヤ用帯状部材８０Ｂの端部同士が重なり合って接合される部分（継ぎ目）の形状は、図３（ｂ）に斜線で示すような形状となる。従って、タイヤ用帯状部材８０Ｂを用いて製造した空気入りタイヤでは、耐久性が局所的に低下するのを抑制することができる。
【００５７】
更に、図３（ｃ）に示すタイヤ用帯状部材８０Ｃは、延在方向一方（図３（ｃ）では下側）の端縁が、延在方向に対して直交する（即ち、タイヤ用帯状部材８０Ｃの幅方向に沿って延びる）直線８１Ｃよりなる。また、タイヤ用帯状部材８０Ｃの延在方向他方（図３（ｃ）では上側）の端縁は、延在方向一方に向かって凸の二次曲線８２Ｃよりなる。そして、タイヤ用帯状部材８０Ｃは幅方向中心線Ｃを対称軸とした線対称形状をしており、タイヤ用帯状部材８０Ｃの延在方向他方の端縁の幅方向両端は、同一の幅方向線上に位置している。なお、タイヤ用帯状部材８０Ｃの端部同士が重なり合って接合される部分（継ぎ目）の形状は、図３（ｃ）に斜線で示すような形状となる。従って、タイヤ用帯状部材８０Ｃを用いて製造した空気入りタイヤでは、耐久性が局所的に低下するのを抑制することができる。
【００５８】
また、図３（ｄ）に示すタイヤ用帯状部材８０Ｄは、延在方向一方（図３（ｄ）では下側）の端縁が、タイヤ用帯状部材８０Ｄの幅方向一方（図３（ｄ）では左側）の端縁Ｅからタイヤ用帯状部材８０Ｄの幅方向中央Ｃまで幅方向に沿って延びる第１の直線８１Ｄと、幅方向中央Ｃから幅方向他方（図３（ｄ）では右側）の端縁Ｅまで延びる第２の直線８５Ｄとからなる。また、タイヤ用帯状部材８０Ｄの延在方向他方（図３（ｄ）では上側）の端縁は、タイヤ用帯状部材８０Ｄの幅方向一方の端縁Ｅからタイヤ用帯状部材８０Ｄの幅方向中央Ｃまで延びる第３の直線８２Ｄと、幅方向中央Ｃから幅方向他方の端縁Ｅまで幅方向に沿って延びる第４の直線８３Ｄとからなる。そして、タイヤ用帯状部材８０Ｄは点対称形状をしている。即ち、第２の直線８５Ｄと第３の直線８２Ｄとはタイヤ用帯状部材８０Ｄの延在方向に対して互いに同一方向に傾斜している。なお、タイヤ用帯状部材８０Ｄの端部同士が重なり合って接合される部分（継ぎ目）の形状は、図３（ｄ）に斜線で示すような形状となる。従って、タイヤ用帯状部材８０Ｄを用いて製造した空気入りタイヤでは、耐久性が局所的に低下するのを抑制することができる。また、他の部分と比較して質量が大きくなる継ぎ目の位置をタイヤ周方向に分散させ、タイヤのユニフォーミティの悪化を抑制することもできる。
【実施例】
【００５９】
以下、実施例により本発明を更に詳細に説明するが、本発明は下記の実施例に何ら限定されるものではない。
【００６０】
（実施例１）
表１に示す諸元で、図２（ａ）に示すような構成を有する樹脂製フィルム層（タイヤ用帯状部材）を作製した。なお、樹脂製フィルム層は、変性エチレン−ビニルアルコール共重合体を含む樹脂組成物よりなる。
そして、作製した樹脂製フィルム層をインナーライナーとして用い、タイヤ成形ドラムを使用してサイズが１９５／６５Ｒ１５の空気入りラジアルタイヤを作製した。そして、以下の方法で性能を評価した。結果を表１に示す。
【００６１】
（従来例１）
表１に示す諸元で、平面視形状を長方形とした以外は実施例１の樹脂製フィルム層と同様の構成を有する樹脂製フィルム層（タイヤ用帯状部材）を作製した。
そして、作製した樹脂製フィルム層をインナーライナーとして用い、実施例１と同様にしてサイズが１９５／６５Ｒ１５の空気入りラジアルタイヤを作製した。そして、以下の方法で性能を評価した。結果を表１に示す。
【００６２】
（実施例２〜７、比較例１）
諸元および樹脂製フィルム層の形状を表１〜２に示すように変更した以外は、実施例１と同様にして樹脂製フィルム層およびサイズが１９５／６５Ｒ１５の空気入りラジアルタイヤを作製した。そして、以下の方法で性能を評価した。結果を表１〜２に示す。
【００６３】
＜耐久性＞
作製したタイヤを水圧試験用リムに装着し、タイヤの内部に水を徐々に供給した。そして、タイヤが破壊された際の水圧（破壊水圧）を測定した。
＜ユニフォーミティ＞
作製したタイヤを適用リムに装着し、ＪＩＳ Ｄ４２３３に準拠してラジアルフォースバリエーション（ＲＦＶ）を測定した。そして、従来例１を１００として指数評価した。表中、値が小さいほどユニフォーミティが高いことを示す。
＜カーカス補強コード打ち込み本数の低下率＞
作製したタイヤについて、インナーライナーの接合部（継ぎ目）におけるラジアルカーカスの補強コードの打ち込み本数（周方向２５ｍｍ当り）を測定し、接合部以外の部分に対する打ち込み本数の低下率（＝１００％−（接合部の打ち込み本数／接合部以外の部分の打ち込み本数）×１００％）を算出した。表中、打ち込み本数の低下率が０％に近いほど、ラジアルカーカスの補強コード本数がタイヤ周方向で均一であり、タイヤの耐久性の局所的な低下が少ないことを示す。
＜製造歩留まり＞
空気入りタイヤを６本試作した際の歩留まりを評価した。そして、従来例１を１００として指数評価した。表中、値が小さいほど製造歩留まりが高いことを示す。
【００６４】
【表１】
0005965149.tif 000002
【００６５】
【表２】
0005965149.tif 000003
【００６６】
表１より、実施例１〜７のタイヤは、従来例１および比較例１のタイヤよりもタイヤの耐久性の局所的な低下が抑制されており、圧力容器としての耐久性が優れていることが分かる。また、実施例１，２，４，６のタイヤは、特に圧力容器としての耐久性が優れていることが分かる。更に、実施例１，３〜５，７のタイヤは、実施例６のタイヤと比較して歩留まりが良好であることが分かる。
なお、実施例１〜７のタイヤは、タイヤ成形ドラムを用いて容易に製造することができた。
【産業上の利用可能性】
【００６７】
本発明によれば、圧力容器としての耐久性が優れており、且つ、容易に製造することができる空気入りタイヤを提供することができる。また、本発明によれば、該空気入りタイヤの製造に好適に用い得る、タイヤの耐久性の局所的な低下を抑制することができるタイヤ用帯状部材を提供することができる。
【符号の説明】
【００６８】
１  トレッド部
２  サイドウォール部
３  ビード部
４  ビードコア
５  ラジアルカーカス
６  ベルト
７  ビードフィラー
８  インナーライナー
９  溝
１０  空気入りタイヤ
６１，６２，６３  ベルト層
８０  タイヤ用帯状部材
８０Ａ，８０Ｂ，８０Ｃ，８０Ｄ  タイヤ用帯状部材
８１  直線
８１Ａ，８１Ｂ，８１Ｃ，８１Ｄ  直線
８２  直線
８２Ａ，８２Ｂ，８２Ｃ，８２Ｄ  直線
８３  直線
８３Ａ，８３Ｂ，８３Ｄ  直線
８４Ａ  幅方向端
８４Ｂ  幅方向端
８４Ｃ  幅方向端
８４Ｄ  幅方向端
８５Ｂ，８５Ｄ  直線
【図１】
0005965149.tif 000004
【図２】
0005965149.tif 000005
【図３】
0005965149.tif 000006